(57)【特許請求の範囲】
【請求項１】
平面部と立面部を備えた製品が、補強用支持材と共に、包装外箱の内部に収容された包装体であって、
上記製品の平面部が包装外箱の底板に載置されており、
上記補強用支持材は、平面板とその両端辺から内側に傾斜して立ち上がる斜板とを備えたもので、平面板が製品の平面部に載置されており、斜板の長さが製品の平面部から包装外箱の天板までの距離よりも長く設定されて、斜板の上端が包装外箱の天板に当接もしくは接近している、
ことを特徴とする包装体。
【請求項２】
上記斜板の上端に、外側に向って延びる外延板が備わっている、ことを特徴とする請求項１に記載の包装体。
【請求項３】
上記製品が軟質合成樹脂で作製されたものである、ことを特徴とする請求項１又は請求項２に記載の包装体。
【請求項４】
上記包装外箱の内部に収容された製品の個数が二個以上であって、立面部が向かい合うように製品が一個ずつ又は数個ずつ反対向きに積み重ねられ、上側に積み重ねられた製品の立面部側の端部がパッドで下方から支持されている、ことを特徴とする請求項１ないし請求項３のいずれかに記載の包装体。
【請求項５】
上記外延板を、包装外箱の天板又は側板に固定した、ことを特徴とする請求項２ないし請求項４のいずれかに記載の包装体。
【発明の詳細な説明】
【技術分野】
【０００１】
本発明は、平面部と立面部を備えた製品を補強用支持材と共に包装外箱の内部に収容した包装体に関し、更に詳しくは、上方から荷重がかかっても、包装外箱が押し潰されて製品が変形、破損したり、補強用支持材による押圧痕が製品に残ったりすることがないように工夫した包装体に関する。
【背景技術】
【０００２】
軟包装品を収納する梱包ケースとして、例えば、コーナー補強用底パッドを内装した梱包ケースが知られている（特許文献１）。この梱包ケースに内装されるコーナー補強用底パッドは、梱包ケースの内底と相似形状の矩形状又はほぼ八角形状のパッド本体と、その両端辺から立ち上がる一対の矩形の内側板と、それぞれの内側板の左右両側縁に設けられた両袖片とを備えたものであって、パッド本体と内側板を梱包ケースの内底と両側板に重ねて内装し、袖片を、梱包ケースの隅角部において断面三角形のコーナー補強ポストを形成するように梱包ケースの両側板間に跨がって係止させることにより、梱包ケースの耐圧強度を高め、梱包される軟包装品を保護するものである。
【０００３】
ところで、図７に示す階段用床材のような、平面部１１と立面部１２を備えた製品１を、図９に示すように裏返しにして段ボール製の包装外箱２００に収容する場合は、製品１の平面部１１と包装外箱２００の天板２０１との間に内部空間Ｖが存在するので、なにも補強しない場合は、包装外箱２００を積み重ねたときの荷重で側板２０２が座屈して包装外箱２００が押し潰され、製品１の立面部１２が変形したり、破損したりすることがある。特に、製品１が軟質合成樹脂製の階段用床材である場合は、踏み面部に相当する平面部１１と段鼻被覆部に相当する立面部１２との夾角θ１を７５°〜８５°に維持する必要があり、上記のように包装外箱２００が押し潰されることによって立面部１２が上記夾角θ１よりも鋭角に折り曲げられたり鈍角に押し広げられたりすると、階段用床材を階段に貼着する際に、段鼻被覆部（立面部１２）が階段の段鼻端面に沿わなくなって、段鼻端面から跳ね上がったり隙間ができたりして貼着作業に支障が出るので、包装外箱２００が押し潰されないように耐荷重強度を高めることが必要になる。
なお、製品１が階段用床材である場合は、後述するように、階段用床材を２〜１０個程度重ねて包装外箱に収容するのが普通であるが、図９では便宜的に１個だけ包装する場合を示している。
【０００４】
上記のような平面部１１と立面部１２を備えた製品１を収容する包装外箱２００の耐荷重強度を高める手段としては、例えば、（Ａ）特許文献１に記載されたコーナー補強用底パッドを包装外箱２００に内装する、（Ｂ）井桁状の補強用支持材を製品１の平面部１１と包装外箱２００の天板２０１との間に介在させる、（Ｃ）平面板の両端に直角に立ち上がる立板を設けたＵ字状の補強用支持材を、製品１の平面部１１と包装外箱２００の天板２０１との間に介在させる、等の手段が考えられる。
【先行技術文献】
【特許文献】
【０００５】
【特許文献１】特開２００８−００１３９６号公報
【発明の概要】
【発明が解決しようとする課題】
【０００６】
しかしながら、上記（Ａ）のように、特許文献１に記載されたコーナー補強用底パッドを包装外箱２００に内装する場合は、包装外箱２００の四隅に形成される断面三角形のコーナー補強ポストと製品１とが干渉しないように、包装外箱２００を製品１よりも一回り大きく作製する必要があるため、包装外箱のコストが高くなり、保管や運搬に要するスペースも増大するという問題がある。
【０００７】
また、上記（Ｂ）のように、井桁状の補強用支持材を製品１の平面部１１と包装外箱２００の天板２０１との間に介在させる場合は、優れた耐荷重強度が得られる反面、上方からの荷重が井桁状の補強用支持材を介して製品１の平面部１１に加わるため、製品１が軟質合成樹脂で作製された階段用床材等である場合には、製品１の平面部１１に井桁状の押圧痕が残るという問題がある。
【０００８】
これに対し、上記（Ｃ）のように、平面板の両端に直角に立ち上がる立板を設けたＵ字状の補強用支持材を製品１の平面部１１と包装外箱２００の天板２０１との間に介在させる場合は、平面板の両端の二枚の立板で荷重を受けることになるので、上記の井桁状の補強用支持材を介在させる場合に比べると、耐荷重強度が少し低下するという問題があり、しかも、荷重が二枚の立板に集中するため、上記と同様に、製品１の平面部１１（立板の直下に位置する部分）に押圧痕が残るという問題がある。
【０００９】
また、上記（Ｂ），（Ｃ）の場合は、井桁状の補強用支持材の高さや、補強用支持材の立板の高さが、製品１の平面部１１から包装外箱２００の天板までの高さより少しでも高くなると、補強用支持材を包装外箱２００に収容することが困難になるという問題もある。
【００１０】
本発明は上記事情の下になされたもので、その解決しようとする課題は、平面部と立面部を備えた製品を補強用支持材と共に包装外箱の内部に収容した包装体において、補強用支持材の収容が容易であり、上記（Ｃ）の場合に比べると耐荷重強度が若干低下するとはいうものの、想定以上の荷重がかかった場合でも包装外箱が押し潰されて製品が変形、破損することが殆どなく、補強用支持材による押圧痕が製品に残ることも殆どないようにした包装体を提供することにある。
【課題を解決するための手段】
【００１１】
上記課題を解決するため、本発明に係る包装体は、平面部と立面部を備えた製品が、補強用支持材と共に、包装外箱の内部に収容された包装体であって、
上記製品の平面部が包装外箱の底板に載置されており、
上記補強用支持材は、平面板とその両端辺から内側に傾斜して立ち上がる斜板とを備えたもので、平面板が製品の平面部に載置されており、斜板の長さが製品の平面部から包装外箱の天板までの距離よりも長く設定されて、斜板の上端が包装外箱の天板に当接もしくは接近している、ことを特徴とするものである。
【００１２】
本発明の包装体においては、斜板の上端に、外側に向って延びる外延板が備わっていることが望ましい。また、製品が軟質合成樹脂で作製されたものであることが望ましく、包装外箱の内部に収容された製品の個数が二個以上であって、立面部が向かい合うように製品が一個ずつ又は数個ずつ反対向きに積み重ねられ、上側に積み重ねられた製品の立面部側の端部がパッドで下方から支持されていることが望ましい。更に、外延板を、包装外箱の天板又は側板に固定することが望ましい。
【発明の効果】
【００１３】
本発明の包装体のように、補強用支持材が平面板とその両端辺から内側に傾斜して立ち上がる斜板とを備えたもので、平面板が製品の平面部に載置されており、斜板の長さが製品の平面部から包装外箱の天板までの距離よりも長く設定されて、斜板の上端が包装外箱の天板に当接もしくは接近していると、補強用支持材を製品の平面部と包装外箱の天板との間の空間部に容易に収容することができ、上方から想定以上の荷重がかかった場合でも、包装外箱の側板が座屈して押し潰されることが殆どないように、補強用支持材の斜板が包装外箱の天板を支えるため、耐荷重強度が向上し、製品の変形、破損を防止することができる。
【００１４】
そして、本発明の包装体のように、補強用支持材の斜板が平面板の両端辺から内側に傾斜して立ち上がっていると、後述するように、斜板の上端にかかる下向きの荷重が、斜板に沿う方向の力と斜板に直角な方向の力とに分力され、この斜板に沿う方向の力が斜板の下端から製品の平面部に作用するため負荷が減少し、製品の平面部において斜板の下端が当たる箇所に凹んだ押圧痕が形成されて残ることは殆どない。
【００１５】
また、本発明の包装体のように補強用支持材の斜板が内側に傾斜していると、斜板の上端が包装外箱の天板の高さを越えるために補強用支持材を包装外箱に収容し難いような場合であっても、斜板を内側にもう少し傾斜させて斜板の上端を天板と同じ高さにすることにより、補強用支持材を包装外箱に容易に収容することができる。そして、内側に傾斜する斜板の長さが製品の平面部から包装外箱の天板までの距離よりも長く設定されていると、上方から荷重がかかったときに、斜板が内側に更に傾斜することはあっても、逆に外側に傾斜して製品の立面部に倒れ掛かることはないので、製品が軟質合成樹脂で作製された階段用床材の場合でも、その立面部（段鼻被覆部）が斜板によって外側に鈍角に傾斜、変形する心配はない。
【００１６】
そして、斜板の上端に、外側に向って延びる外延板が備わっていると、包装外箱の天板にかかる上方からの荷重を、外延板が面として支えるので、耐荷重強度が一層向上する。それに加えて、包装外箱の天板に外延板が当接することで、運搬中に補強用支持材が包装体内部で移動してしまうといった不具合がなくなり、運搬中の製品の変形、破損を防止することができる。
【００１７】
特に、階段用床材のように軟質合成樹脂で作製された製品は、その平面部に凹んだ押圧痕が残りやすく、その立面部も傾斜、変形しやすいものであるから、このような軟質合成樹脂で作製された製品を上記の補強用支持材と共に包装外箱に収容した本発明の包装体は、上述した補強用支持材による押圧痕防止効果や変形防止効果が顕著であり、極めて有効なものである。
【００１８】
また、包装外箱の内部に収容された製品の個数が二個以上であって、立面部が向かい合うように製品が一個ずつ又は数個ずつ反対向きに積み重ねられ、上側に積み重ねられた製品の立面部側の端部がパッドで下方から支持されている包装体は、上側に積み重ねられた製品の立面部側の端部（平面部の端部）が下方に撓み変形するのをパッドで防ぐことができ、しかも、補強用支持材の斜板の下端から製品の立面部側の端部に作用する下向きの力がパッドによってある程度、吸収、緩和されるので、その分だけ押圧痕がさらに生じ難くなる。
【００１９】
更に、外延板を、包装外箱の天板又は側板に固定した包装体は、外延板を天板に固定することで、上方からの荷重によって斜板が内側へ倒れてしまうのを防止できると共に、補強用支持材が包装体内部で移動してしまうという運搬中の不具合を完全に防止することができる。
【図面の簡単な説明】
【００２０】
【図１】本発明の一実施形態に係る包装体の分解斜視図である。
【図２】同包装体の横断面図である。
【図３】同包装体の縦断面図である。
【図４】補強用支持材の説明図である。
【図５】（ａ）（ｂ）（ｃ）はいずれも、斜板の異なる倒れ防止手段を設けた補強用支持材を示す概略図である。
【図６】（ａ）は補強用支持材の他の例を示す斜視図、（ｂ）はその側面図である。
【図７】平面部と立面部を備えた製品の代表例である階段用床材の斜視図である。
【図８】本発明の他の実施形態に係る包装体の横断面図である。
【図９】同階段用床材を包装外箱に収容して包装する場合の問題点を説明する図である。
【発明を実施するための形態】
【００２１】
以下、図面を参照して、本発明に係る包装体の実施形態を詳細に説明する。
【００２２】
図１は本発明の一実施形態に係る包装体の分解斜視図、図２は同包装体の横断面図、図３は同包装体の縦断面図、図４は補強用支持材の説明図であって、この実施形態に係る包装体は、図示のように、平面部１１と立面部１２を備えた複数個（複数枚）の製品１を、補強用支持材２やパッド３と共に、包装外箱４の内部に収容して包装したものである。
【００２３】
この実施形態の製品１は、前述した階段用床材、即ち、平面部１１に相当する踏み面部と、立面部１２に相当する段鼻被覆部とを備え、踏み面部と段鼻被覆部との夾角θ１が７５°〜８５°に設定された、Ｌ形の軟質合成樹脂製の階段用床材であって、図２に示すように、全ての製品１が裏返しにされ、立面部１２が向かい合うように製品１が複数個（複数枚）ずつ反対向きに積み重ねられ、一番下側の製品１の平面部１１が包装外箱４の底板４１に載置されて、包装外箱４の内部に収容されている。この実施形態では、５個（枚）の製品１が同じ向きに積み重ねられ、その上に２個（枚）の製品１が反対向きに積み重ねられているが、これに限定されるものではなく、例えば、２〜５個（枚）ずつ反対向きに積み重ねられていてもよいし、一個（枚）ずつ交互に反対向きに積み重ねられていてもよい。包装される製品１の数が多くなり過ぎると、包装体の全質量が大きくなって持ち運びし辛くなるので、２〜１０個（枚）程度にすることが好ましい。なお、包装される製品１の数は、１個（枚）であってもよいことは言うまでもない。
【００２４】
階段用床材の軟質合成樹脂としては、可塑剤を含有させるなどして軟質化した各種の塩化ビニル系樹脂、オレフィン系樹脂、熱可塑性エラストマーなど、またはそれらを複合させた樹脂混合物が好適であり、この実施形態では、可塑剤を含有させた軟質塩化ビニル樹脂製の階段用床材が製品１として包装されている。
なお、製品１は前記の階段用床材に限定されるわけではなく、他の用途の製品であってもよく、本発明は立面部が平面部の一辺に立設された製品、平面部の２辺またはそれ以上の各辺に立面部が立設された製品にも適用できる。また、立面部は平面部の端縁からＬ字状を形成するように立設されるだけではなく、平面部の端縁から若干の距離をおいて立面部が逆Ｔ字状を形成するように立設されていてもよく、さらに夾角θ１が７５°〜８５°となるように鋭角になるように立面部が立設されるだけではなく、鈍角や直角となるように設けられていてもよい。
【００２５】
包装外箱４は、図２，図３に示すように、底板４１と、四周の側板４２，４３，４４，４５と、天板４６とを備えたもので、図１に示すように、底板４１と四周の側板４２，４３，４４，４５は、外箱本体を構成するように段ボールで一体に組み立てられており、天板４６は外箱本体から分離して段ボールで形成されている。この包装外箱４は、包装される製品１（階段用床材）に対応した長方形の箱体とされ、幅方向両側の側板４３，４５は、製品１（階段用床材）の立面部１２（段鼻被覆部）の傾斜角と同じ７５°〜８５°の傾斜角で内側に傾斜している。
【００２６】
包装外箱４の天板４６は、図１に示すように、幅方向両側に側板４６ａ，４６ａが延設されており、図２に示すように天板４６を被せると、その側板４６ａ，４６ａが包装外箱４（外箱本体）の幅方向両側の側板４３，４５に重なるようになっている。そして、この側板４６ａ，４６ａの下端縁を粘着テープ５で包装外箱４の底板４１の両側縁に貼付けると共に、図３に示すように、天板４６の長さ方向の両端縁を粘着テープ５で包装外箱４の長さ方向両端の側板４２，４４に貼付けることによって、天板４６が包装外箱４（外箱本体）に貼着固定されるようになっている。
【００２７】
この実施形態では、天板４６を包装外箱４の外箱本体から分離して設けているが、天板４６を包装外箱４の四周の側板４２，４３，４４，４５のいずれかの上端に一体に設けてもよく、また、場合によっては、四周の側板４２，４３，４４，４５の上端に４枚のフラップを設け、これらのフラップを折り曲げて天板４６を構成するようにしてもよい。
【００２８】
包装外箱の材料となる段ボールとしては、紙製の両面段ボール、複両面段ボール、複々面段ボールや、合成樹脂製の各種段ボール（所謂プラダン）などが使用可能であるが、本実施形態のように製品１として軟質合成樹脂製の階段用床材を２〜１０個（枚）程度包装する場合は、強度的に紙製の両面段ボールを使用すれば十分であり、その中でも、中芯の種類がＡフルート、ライナーの種類がＫ６（秤量１８０ｇ）である両面段ボールが好ましく使用される。
【００２９】
包装外箱４の天板４６と、一番上に積み重ねられた製品１の平面部１１との間の空間には、本発明の特徴とする補強用支持材２が設けられている。この補強用支持材２は、図１〜図４に示すように、長方形の平面板２１と、その幅方向の両端辺から内側に傾斜して立ち上がる斜板２２，２２とを備えたもので、平面板２１が一番上の製品１の平面部１１に載置され、斜板２２の長さＬは一番上の製品１の平面部１１から包装外箱４の天板４６までの距離Ｄ（図２参照）よりも長く設定されて、双方の斜板２２，２２の上端が包装外箱４の天板４６に当接している。補強用支持材２の平面板２１と斜板２２との夾角θ２は、特に制限されないが、包装外箱４の耐荷重強度を高め、製品１に押圧痕が生じないようにする観点から、２０°〜８０°の範囲に設定することが好ましい。また、距離Ｄは、包装外箱４の高さや、製品１の積み重ね個数（枚数）によって変わるが、距離Ｄが４０〜８０ｍｍ程度（本実施態様では６０ｍｍ）である場合には、斜板２２の長さＬは８０〜１２０ｍｍ程度（本実施態様では１００ｍｍで、夾角θ２は約３０°）であることが適当である。
【００３０】
尚、補強用支持材２の斜板２２，２２の上端は、この実施形態のように包装外箱４の天板４６に当接している必要はかならずしもなく、包装外箱４の天板４６に荷重がかかって天板４６が下方に撓みかけたときに、斜板２２，２２の上端が天板４６に当接して支えることができるように天板４６に近接していてもよい。
【００３１】
補強用支持材２の材質としては、包装外箱４と同様の紙製もしくは合成樹脂製の段ボールが適しており、長方形の段ボールの幅方向の両側縁を折り曲げ加工することによって、平面板２１の幅方向の両端辺から内側に傾斜して立ち上がる斜板２２，２２を形成した補強用支持材２が好ましく使用される。また、合成樹脂で成形もしくは発泡成形された補強用支持材なども使用される。
【００３２】
補強用支持材２を段ボールで作製する場合は、平面板２１及び斜板２２の長さ方向が、段ボールのフルート（波状の中芯）の波長方向と直交する方向に合致していること（換言すると、補強用支持材２の長さ方向と段ボールのフルートの中芯の波状の凹凸条が延びる方向とが同一であること）が好ましい。このように直交する方向に合致していると、段ボールを折り曲げるときの曲げ強さが適当となり、作業性が向上する利点がある。平面板２１及び斜板２２の長さ方向がフルートの波長方向に合致する場合は、折り曲げるときの反発力が大きくなるだけでなく、復元力も大きくなるため、補強用支持材２を包装外箱４に収容したとき、斜板２２，２２が復元力によって包装外箱４の天板４６を押し上げ、包装外箱４を変形させる原因になるので好ましくない。
【００３３】
上記のような補強用支持材２が、包装外箱４の天板４６と一番上の製品１の平面部１１との間に設置されて包装外箱４に収容されていると、上方から想定以上の荷重が包装外箱４の天板４６にかかった場合でも、補強用支持材２の斜板２２，２２が包装外箱４の天板４６を支えるため耐荷重強度が向上し、包装外箱４の四周の側板４２，４３，４４，４５や天板４６の側板４６ａ，４６ａが座屈して包装外箱４が押し潰されることが殆どないので、製品１の変形、破損を防止することができる。
【００３４】
そして、図４に示すように、包装外箱の天板から補強用支持材２の斜板２２の上端にかかる下向きの荷重Ｇは、斜板２２に沿う方向の力ｆ１と斜板２２に直角な方向の力ｆ２とに分力され、この斜板２２に沿う方向の力ｆ１が斜板２２の下端から製品１の平面部１１に作用することになるため、背景技術のところで述べた直角に立ち上がる立板を有する支持材のように荷重Ｇが分力されないで製品１の平面部１１に真上から作用するものに比べると、負荷が減少する。従って、製品１が軟質合成樹脂で作製された階段用床材であっても、補強用支持材２の斜板２２の下端が当たる箇所に、凹んだ押圧痕が形成されて残る心配は殆どない。
【００３５】
押圧痕の原因となる斜板２２に沿う方向の力ｆ１は、夾角θ２が小さくなるほど減少するが、補強用支持材２が段ボールで作製されている場合、夾角θ２が小さくなりすぎると、荷重Ｇによって斜板２２が内側へ倒れ込みやすくなり、包装外箱４の天板４６を斜板２２の上端で支え難くなるので、前述したように、夾角θ２は２０°〜８０°の範囲に設定することが好ましく、さらに好ましくは、２５°〜５０°である。夾角θ２がこの範囲であれば、背景技術のところで述べた直角に立ち上がる立板を有する支持材に比べて、耐荷重強度は少し低下するけれども、押圧痕の防止効果は顕著になる。
【００３６】
また、この補強用支持材２のように斜板２２が内側に傾斜していると、斜板の２２上端が包装外箱４の天板４６の高さを越えるために補強用支持材２を包装外箱４に収容し難いような場合であっても、斜板２２を内側にもう少し傾斜させて斜板２２の上端を天板４６と同じないし少し低い高さにすることにより、補強用支持材２を包装外箱４に容易に収容することができる。しかも、この補強用支持材２のように内側に傾斜する斜板２２の長さＬが製品１の平面部１１から包装外箱４の天板４６までの距離Ｄよりも長く設定されていると、上方から荷重がかかったときに、斜板２２が内側に更に傾斜することはあっても、逆に外側に傾斜して製品１の立面部１２に倒れ掛かることはないので、製品１が軟質合成樹脂で作製された階段用床材の場合でも、その立面部１２（段鼻被覆部）が斜板２２によって外側に鈍角に傾斜、変形する心配はない。
【００３７】
ところで、上記の補強用支持材２を段ボール等で作製すると、斜板２２が上方からの荷重を受けて内側に更に傾斜して倒れ込みやすいため、斜板２２の倒れ込み防止手段を補強用支持材に設けるようにしてもよい。図５はそのような倒れ込み防止手段を設けた補強用支持材の例を示したものである。即ち、図５（ａ）に示す補強用支持材２は、倒れ込み防止手段として、一方の斜板２２の上端から上板２３を水平に延設し、その先端から傾斜板２４を他方の斜板２２と平行に延設したものであり、図５（ｂ）に示す補強用支持板２は、倒れ込み防止手段として、双方の斜板２２，２２の上端から内側斜め下方に向かって傾斜板２５，２５を延設したものであり、図５（ｃ）に示す補強用支持板２は、倒れ込み防止手段として、平面板２１の両側縁と双方の斜板２２，２２との間に三角形の倒れ防止部材２６，２６を設けたものである。これらの倒れ込み防止手段を設けた補強用支持材２は、斜板２２，２２が内側に倒れ込むことなく包装外箱４の天板４６を支えるので、耐荷重強度を大幅に向上させることができる。
【００３８】
（ｂ）の場合、傾斜板２５,２５の製品の平面部１１側先端は、上方からの荷重によって補強用支持材２の平面板２１を介して、製品の平面部１１側に押し付けられ、平面部１１に押圧痕が発生するおそれがあるが、傾斜板２５,２５の平面部１１側先端は平面板２１と固定されていない（ないしは仮固定程度の強度で固定されている）ため、上方からの荷重がかかったとしても、容易に斜板２２，２２が倒れずに荷重を支持する（傾斜板２５,２５の平面部１１側先端が食い込むようになって平面板２１を変形させながら内側にずれるので、容易に倒れることはない）と共に、その先端が内側方向にずれながら荷重を分散して平面部１１に押圧痕を発生することを防止できる。
なお、前記したように、補強用支持材２の長さ方向が段ボールのフルートの波長方向と直交する方向に合致する場合は、フルートの波状凹凸と傾斜板２５,２５の先端とが干渉しあってずれることになり、より斜板２２，２２が倒れづらくなる。
【００３９】
上述した補強用支持材２はいずれも、平面板２１の幅方向の両端辺から一対の斜板２２，２２を内側に傾斜させて立設したものであるが、図６に示す補強用支持材２のように、平面板２１の幅方向の両端辺と長さ方向の両端辺から二対の斜板２２，２２，２２，２２を内側に傾斜させて立設してもよい。このように二対の斜板を設けた補強用支持材２は、二対の斜板で包装外箱４の天板４６を支えるので耐荷重強度が向上し、特に、隣接する斜板２２，２２同士を例えば粘着テープ等で連結した場合は、各斜板２２が内側に倒れ込むことがないので耐荷重強度を顕著に向上することになる。
【００４０】
図１〜図４に示す実施形態の包装体は、前述したように、製品１の立面部１２が向かい合うように製品１が複数個（枚）ずつ反対向きに積み重ねられており、更に、上側に積み重ねられた製品１の立面部１２側の端部（平面部１１の端部）が、図２に示すように、パッド３で下方から支持されている。このパッド３は、前記の段ボールを角筒状に折り曲げて作製されたものであるが、これに限定されるものではなく、例えば、角棒状の樹脂発泡体なども好ましく使用される。
【００４１】
このように、上側に積み重ねられた製品１の立面部側の端部がパッド３で支持されていると、上側に積み重ねられた製品１の立面部側の端部が下方に撓み変形するのをパッド３で防ぐことができ、しかも、補強用支持材２の斜板２２の下端から製品１の立面部側の端部に作用する力がパッド３によってある程度、吸収、緩和されるので、その分だけ押圧痕がさらに生じ難くなる利点がある。
【００４２】
以上の説明から理解できるように、本発明の包装体は、包装外箱の天板と包装外箱に収容された製品の平面部との間に、平面板の両端辺から内側に傾斜して立ち上がる斜板を備えた補強用支持材を設けたため、上方から想定以上の荷重がかかっても、包装外箱が押し潰されて製品が変形、破損することが殆どなく、しかも、製品の平面部に押圧痕が残ることも殆どないといった効果を奏し、すこぶる有用なものである。
【００４３】
図８は本発明の他の実施形態に包装体の横断面図である。
【００４４】
図８に示す包装体は、前述した補強用支持材２の代わりに、外延板２２ａを備える補強用支持材２０を用いたものである。この補強用支持材２０は、前述した補強用支持材２と同様に、長方形の平面板２１と、その幅方向の両端辺から内側に傾斜して立ち上がる斜板２２，２２とを備え、この斜板２２，２２の上端に、外側方向（斜板２２の上端から包装外箱４の四周の側板４３，４５方向）に向って延びる外延板２２ａ，２２ａを設けたものである。
【００４５】
この外延板２２ａは、耐荷重強度を向上させるため、斜板２２の長さ方向全域に亘って設けられており、その外側端部は、図８に示すように、包装外箱４の四周の側板４３，４５に当接もしくは接近するまで延設されている。また、この補強用支持材２０の斜板２２と外延板２２ａとの夾角は、平面板２１と斜板２２との夾角θ２と同角度になっており、外延板２２ａの上面は、天板４６の裏面に当接して、補強用支持材２０が包装外箱４の内部で動かないよう接着剤により天板４６に固定されている。
なお、天板４６に外延板２２ａを固定する方法は、本実施形態のように、接着剤による固定に限定されるものではなく、接着剤の他にも、粘着剤やテープによる固定や、嵌合による固定（例えば、外延板２２ａの一部を折り曲げて、その折り曲げ部が嵌合する切込み溝を天板４６に設けるなど）によっても行うことができる。また、外延板２２ａは、本実施形態のように天板４６にではなく、包装外箱４の四周の側板４３，４５に固定してもよい。
【００４６】
上記のような、補強用支持材２０は、予め斜板２２の長さＬを長めに設定し、斜板２２の上端が天板４６に当接もしくは接近する箇所を外側に折り曲げ加工すると、外延板２２ａを容易に形成することができるので好ましい。
なお、このような外延板２２ａは、前述した図１〜図４に示す実施形態の包装体において、包装外箱４の内部に収容する製品１の個数が当初の想定よりも増加して、製品１の平面部１１から包装外箱４の天板４６までの距離Ｄが短くなった場合など、補強用支持材２の斜板２２の上端を折り曲げることで形成することもできる。
この実施形態に係る包装体のその他の構成は、前述した図１〜図４に示す包装体と同様であるので、同一部材に同一符号を附して説明を省略する。
【００４７】
上記構成の補強用支持材２０が、包装外箱４の天板４６と一番上の製品１の平面部１１との間に設置されて包装外箱４に収容されていると、包装外箱４の天板４６にかかる上方からの荷重を、外延板２２ａが面として支える、換言すれば、天板４６を支持する面積が増大するので、前述した実施形態の補強用支持材２よりも耐荷重強度がより一層向上し、包装外箱４の四周の側板４２，４３，４４，４５や天板４６の側板４６ａ，４６ａが座屈して包装外箱４が押し潰されたり、補強用支持材２０による押圧痕が製品１に残る心配が解消される。しかも、外延板２２ａは接着剤により天板４６に固定されているので、運搬中に補強用支持材２０が包装外箱４の内部で移動してしまうといった不具合もなくなり、斜板２２が内側に倒れ込むという不具合もなくなるので、運搬に伴う製品１の変形、破損をより確実に防止することもできる。
【符号の説明】
【００４８】
１    製品
１１  平面部
１２  立面部
２，２０  補強用支持材
２１  平面板
２２  斜板
２２ａ  外延板
３    パッド
４    包装外箱
４１  底板
４２，４３，４４，４５  四周の側板
４６  天板
Ｌ    補強用支持材の斜板の長さ
Ｄ    製品の平面部から包装外箱の天板までの距離
【図１】
0005961120.tif 000002
【図２】
0005961120.tif 000003
【図３】
0005961120.tif 000004
【図４】
0005961120.tif 000005
【図５】
0005961120.tif 000006
【図６】
0005961120.tif 000007
【図７】
0005961120.tif 000008
【図８】
0005961120.tif 000009
【図９】
0005961120.tif 000010